(57)【特許請求の範囲】
【請求項１】
無線通信を介して通信を行った複数の携帯端末のうち、通信元の携帯端末から通信元及び通信先の携帯端末を特定する情報をユーザ特定情報として取得するユーザ特定情報取得手段と、
画像形成の対象となる印刷対象画像データと前記ユーザ特定情報とを関連付けて出力する印刷ジョブ出力手段と、
を備えることを特徴とする画像形成指示装置。
【請求項２】
請求項１に記載の画像形成指示装置であって、
前記ユーザ特定情報には、通信元の携帯端末の電話番号又は通信先の携帯端末の電話番号を含むことを特徴とする画像形成指示装置。
【請求項３】
請求項１又は２に記載の画像形成指示装置であって、
前記ユーザ特定情報には、通信元の携帯端末に固有に割り当てられた機器特定情報又は通信先の携帯端末に固有に割り当てられた機器特定情報を含むことを特徴とする画像形成指示装置。
【請求項４】
無線通信を介して通信を行った複数の携帯端末のうち、通信元の携帯端末から通信元及び通信先の携帯端末を特定する情報として取得されたユーザ特定情報と、画像形成の対象となる印刷対象画像データと、を関連付けて印刷ジョブデータベースとして保持させる記憶制御手段を備えることを特徴とする画像形成用サーバ。
【請求項５】
請求項４に記載の画像形成用サーバであって、
前記印刷ジョブデータベースを参照して、無線通信を介して通信を行った複数の携帯端末のうち、通信先の携帯端末から通信元及び通信先の携帯端末を特定する情報として取得されたユーザ確認情報、と対応するユーザ特定情報に関連付けられた印刷対象画像データを抽出する画像データ抽出手段を備えることを特徴とする画像形成用サーバ。
【請求項６】
請求項４又は５に記載の画像形成用サーバであって、
前記ユーザ特定情報には、通信元の携帯端末の電話番号又は通信先の携帯端末の電話番号を含むことを特徴とする画像形成用サーバ。
【請求項７】
請求項４〜６のいずれか１つに記載の画像形成用サーバであって、
前記ユーザ特定情報には、通信元の携帯端末に固有に割り当てられた機器特定情報又は通信先の携帯端末に固有に割り当てられた機器特定情報を含むことを特徴とする画像形成用サーバ。
【請求項８】
無線通信を介して通信を行った複数の携帯端末のうち、通信先の携帯端末から通信元及び通信先の携帯端末を特定する情報をユーザ確認情報として取得するユーザ確認情報取得手段と、
無線通信を介して通信を行った複数の携帯端末のうち、通信元の携帯端末から通信元及び通信先の携帯端末を特定する情報として取得されたユーザ特定情報と、画像形成の対象となる印刷対象画像データと、を関連付けた印刷ジョブデータベースを参照して、前記ユーザ確認情報と対応するユーザ特定情報に関連付けられた画像データとして抽出された印刷対象画像データを媒体上に画像形成させる画像形成制御手段と、
を備えることを特徴とする画像形成制御装置。
【請求項９】
請求項８に記載の画像形成制御装置であって、
前記ユーザ確認情報には、通信元の携帯端末の電話番号又は通信先の携帯端末の電話番号を含むことを特徴とする画像形成制御装置。
【請求項１０】
請求項８又は９に記載の画像形成制御装置であって、
前記ユーザ確認情報には、通信元の携帯端末に固有に割り当てられた機器特定情報又は通信先の携帯端末に固有に割り当てられた機器特定情報を含むことを特徴とする画像形成制御装置。
【請求項１１】
コンピュータに、
無線通信を介して通信を行った複数の携帯端末のうち、通信元の携帯端末から通信元及び通信先の携帯端末を特定する情報をユーザ特定情報として取得させ、
画像形成の対象となる印刷対象画像データと前記ユーザ特定情報とを関連付けて出力させることを特徴とする画像形成指示プログラム。
【請求項１２】
請求項１１に記載の画像形成指示プログラムであって、
前記ユーザ特定情報には、通信元の携帯端末の電話番号又は通信先の携帯端末の電話番号を含むことを特徴とする画像形成指示プログラム。
【請求項１３】
請求項１１又は１２に記載の画像形成指示プログラムであって、
前記ユーザ特定情報には、通信元の携帯端末に固有に割り当てられた機器特定情報又は通信先の携帯端末に固有に割り当てられた機器特定情報を含むことを特徴とする画像形成指示プログラム。
【請求項１４】
コンピュータに、
無線通信を介して通信を行った複数の携帯端末のうち、通信元の携帯端末から通信元及び通信先の携帯端末を特定する情報として取得されたユーザ特定情報と、画像形成の対象となる印刷対象画像データと、を関連付けて印刷ジョブデータベースとして保持させることを特徴とする画像形成用サーバプログラム。
【請求項１５】
請求項１４に記載の画像形成用サーバプログラムであって、
前記コンピュータに、
前記印刷ジョブデータベースを参照して、無線通信を介して通信を行った複数の携帯端末のうち、通信先の携帯端末から通信元及び通信先の携帯端末を特定する情報として取得されたユーザ確認情報、と対応するユーザ特定情報に関連付けられた印刷対象画像データを抽出させることを特徴とする画像形成用サーバプログラム。
【請求項１６】
請求項１４又は１５に記載の画像形成用サーバプログラムであって、
前記ユーザ特定情報には、通信元の携帯端末の電話番号又は通信先の携帯端末の電話番号を含むことを特徴とする画像形成用サーバプログラム。
【請求項１７】
請求項１４〜１６のいずれか１つに記載の画像形成用サーバプログラムであって、
前記ユーザ特定情報には、通信元の携帯端末に固有に割り当てられた機器特定情報又は通信先の携帯端末に固有に割り当てられた機器特定情報を含むことを特徴とする画像形成用サーバプログラム。
【請求項１８】
コンピュータに、
無線通信を介して通信を行った複数の携帯端末のうち、通信先の携帯端末から通信元及び通信先の携帯端末を特定する情報をユーザ確認情報として取得させ、
無線通信を介して通信を行った複数の携帯端末のうち、通信元の携帯端末から通信元及び通信先の携帯端末を特定する情報として取得されたユーザ特定情報と、画像形成の対象となる印刷対象画像データと、を関連付けた印刷ジョブデータベースを参照して、前記ユーザ確認情報と対応するユーザ特定情報に関連付けられた画像データとして抽出された印刷対象画像データを処理に供することを特徴とする画像形成制御装置用プログラム。
【請求項１９】
請求項１８に記載の画像形成制御装置用プログラムであって、
前記ユーザ確認情報には、通信元の携帯端末の電話番号又は通信先の携帯端末の電話番号を含むことを特徴とする画像形成制御装置用プログラム。
【請求項２０】
請求項１８又は１９に記載の画像形成制御装置用プログラムであって、
前記ユーザ確認情報には、通信元の携帯端末に固有に割り当てられた機器特定情報又は通信先の携帯端末に固有に割り当てられた機器特定情報を含むことを特徴とする画像形成制御装置用プログラム。
【請求項２１】
無線通信を介して通信を行った複数の携帯端末のうち、通信元の携帯端末から通信元及び通信先の携帯端末を特定する情報をユーザ特定情報として取得するユーザ特定情報取得ステップと、
画像形成の対象となる印刷対象画像データと前記ユーザ特定情報とを関連付けて出力する印刷ジョブ出力ステップと、
を含むことを特徴とする画像形成指示方法。
【請求項２２】
無線通信を介して通信を行った複数の携帯端末のうち、通信元の携帯端末から通信元及び通信先の携帯端末を特定する情報として取得されたユーザ特定情報と、画像形成の対象となる印刷対象画像データと、を関連付けて印刷ジョブデータベースとして保持する記憶ステップを含むことを特徴とする画像形成用サーバでの処理方法。
【請求項２３】
無線通信を介して通信を行った複数の携帯端末のうち、通信先の携帯端末から通信元及び通信先の携帯端末を特定する情報をユーザ確認情報として取得するユーザ確認情報取得ステップと、
無線通信を介して通信を行った複数の携帯端末のうち、通信元の携帯端末から通信元及び通信先の携帯端末を特定する情報として取得されたユーザ特定情報と、画像形成の対象となる印刷対象画像データと、を関連付けた印刷ジョブデータベースを参照して、前記ユーザ確認情報と対応するユーザ特定情報に関連付けられた画像データとして抽出された印刷対象画像データを媒体上に画像形成する画像形成ステップと、
を含むことを特徴とする画像形成方法。
【発明の詳細な説明】
【技術分野】
【０００１】
本発明は、画像形成処理又は画像形成処理後の媒体の取得を特定ユーザのみに許可する画像形成指示装置、画像形成指示プログラム、画像形成指示方法、画像形成用サーバ、画像形成用サーバプログラム、画像形成用サーバでの処理方法、画像形成制御装置、画像形成制御装置用プログラム及び画像形成方法に関する。
【背景技術】
【０００２】
プリンタや複合機等を用いて印刷を行う際に個人を識別し、印刷を行ったユーザ又は印刷時に指定された特定のユーザのみが印刷を行ったり、印刷物をトレイから取り出したりすることを許可する技術が用いられている。このようなシステムは、親展プリント、セキュリティプリント、オンデマンドプリント等と呼ばれている。
【０００３】
特許文献１には、プリンタにＰＨＳ電話機との通信機能を設け、特定のＰＨＳ電話機の電話番号が与えられた親展印刷ジョブをプリンタに送信し、プリンタが自己に接近したＰＨＳ電話機の電話番号を受信すると、受信した電話番号と印刷ジョブに与えられた電話番号とを比較して、両者が一致する場合に印刷ジョブに基づく印刷を行う技術が開示されている。
【０００４】
【特許文献１】特開２００１−２１９６２７号公報
【発明の開示】
【発明が解決しようとする課題】
【０００５】
しかしながら、上記従来技術では、印刷処理を行うユーザが携帯するＰＨＳ電話機の電話番号でなければ印刷ジョブを実行することができず、他のユーザが印刷ジョブを行うためにはＰＨＳ電話機を借りなくてはならない。このような行為は、ユーザにとって不便であり、システムのセキュリティを低下させる原因となる。
【０００６】
一方、印刷ジョブを送信したユーザ以外の特定のユーザに印刷ジョブの実行又は印刷物の取り出しを許可するためには、印刷ジョブに対応したＩＤを生成して、特定のユーザに生成されたＩＤを知らせる必要がある。この場合、ＩＤを生成する必要があり、処理が複雑化する。また、印刷処理を行おうとするユーザは予め与えられたＩＤを覚えておき、印刷又は印刷物の取得を許可するユーザに対して送信する必要がある。
【０００７】
本発明は、上記従来の技術の課題を鑑み、上記課題を解決することを可能とする画像形成指示装置、画像形成指示プログラム、画像形成指示方法、画像形成用サーバ、画像形成用サーバプログラム、画像形成用サーバでの処理方法、画像形成制御装置、画像形成制御装置用プログラム及び画像形成方法を目的とする。
【課題を解決するための手段】
【０００８】
本発明は、無線通信を介して通信を行った複数の携帯端末のうち、通信元の携帯端末から通信元及び通信先の携帯端末を特定する情報をユーザ特定情報として取得するユーザ特定情報取得手段と、画像形成の対象となる印刷対象画像データと前記ユーザ特定情報とを関連付けて出力する印刷ジョブ出力手段と、を備えることを特徴とする画像形成指示装置である。
【０００９】
また、本発明は、無線通信を介して通信を行った複数の携帯端末のうち、通信元の携帯端末から通信元及び通信先の携帯端末を特定する情報として取得されたユーザ特定情報と、画像形成の対象となる印刷対象画像データと、を関連付けて印刷ジョブデータベースとして保持する記憶手段を備えることを特徴とする画像形成用サーバである。
【００１０】
ここで、前記印刷ジョブデータベースを参照して、無線通信を介して通信を行った複数の携帯端末のうち、通信先の携帯端末から通信元及び通信先の携帯端末を特定する情報として取得されたユーザ確認情報、と対応するユーザ特定情報に関連付けられた印刷対象画像データを抽出する画像データ抽出手段を備えることが好適である。
【００１１】
また、本発明は、無線通信を介して通信を行った複数の携帯端末のうち、通信先の携帯端末から通信元及び通信先の携帯端末を特定する情報をユーザ確認情報として取得するユーザ確認情報取得手段と、無線通信を介して通信を行った複数の携帯端末のうち、通信元の携帯端末から通信元及び通信先の携帯端末を特定する情報として取得されたユーザ特定情報と、画像形成の対象となる印刷対象画像データと、を関連付けた印刷ジョブデータベースを参照して、前記ユーザ確認情報と対応するユーザ特定情報に関連付けられた画像データとして抽出された印刷対象画像データを媒体上に画像形成する画像形成手段と、を備えることを特徴とする画像形成制御装置である。
【００１２】
上記各装置は、コンピュータに所定の処理を実行させるプログラムによって実現することができる。
【００１３】
すなわち、コンピュータに、無線通信を介して通信を行った複数の携帯端末のうち、通信元の携帯端末から通信元及び通信先の携帯端末を特定する情報をユーザ特定情報として取得させ、画像形成の対象となる印刷対象画像データと前記ユーザ特定情報とを関連付けて出力させることを特徴とする画像形成指示プログラムにより実現することができる。
【００１４】
また、コンピュータに、無線通信を介して通信を行った複数の携帯端末のうち、通信元の携帯端末から通信元及び通信先の携帯端末を特定する情報として取得されたユーザ特定情報と、画像形成の対象となる印刷対象画像データと、を関連付けて印刷ジョブデータベースとして保持させることを特徴とする画像形成用サーバプログラムにより実現することができる。
【００１５】
ここで、前記コンピュータに、前記印刷ジョブデータベースを参照して、無線通信を介して通信を行った複数の携帯端末のうち、通信先の携帯端末から通信元及び通信先の携帯端末を特定する情報として取得されたユーザ確認情報、と対応するユーザ特定情報に関連付けられた印刷対象画像データを抽出させることが好適である。
【００１６】
また、コンピュータに、無線通信を介して通信を行った複数の携帯端末のうち、通信先の携帯端末から通信元及び通信先の携帯端末を特定する情報をユーザ確認情報として取得させ、無線通信を介して通信を行った複数の携帯端末のうち、通信元の携帯端末から通信元及び通信先の携帯端末を特定する情報として取得されたユーザ特定情報と、画像形成の対象となる印刷対象画像データと、を関連付けた印刷ジョブデータベースを参照して、前記ユーザ確認情報と対応するユーザ特定情報に関連付けられた画像データとして抽出された印刷対象画像データを処理に供することを特徴とする画像形成制御装置用プログラムにより実現することができる。
【００１７】
上記発明において、前記ユーザ特定情報には、通信元の携帯端末の電話番号又は通信先の携帯端末の電話番号を含むことが好適である。また、前記ユーザ特定情報には、通信元の携帯端末に固有に割り当てられた機器特定情報又は通信先の携帯端末に固有に割り当てられた機器特定情報を含むことがより好適である。
【００１８】
また、上記発明において、前記ユーザ確認情報には、通信元の携帯端末の電話番号又は通信先の携帯端末の電話番号を含むことが好適である。また、前記ユーザ確認情報には、通信元の携帯端末に固有に割り当てられた機器特定情報又は通信先の携帯端末に固有に割り当てられた機器特定情報を含むことがより好適である。
【発明の効果】
【００１９】
本発明によれば、機密性を保ちつつ印刷ジョブを実行することを可能とする。特に、遠隔地にいるユーザ同士で印刷ジョブの指示及び印刷ジョブの実行を容易に分担して行うことができる。
【発明を実施するための最良の形態】
【００２０】
＜画像形成システムの構成＞
本発明の実施の形態における画像形成システム１００は、図１に示すように、クライアントコンピュータ１０２、プリントサーバ１０４、画像形成装置１０６及び携帯端末１０８ａ，１０８ｂを含んで構成される。クライアントコンピュータ１０２、プリントサーバ１０４及び画像形成装置１０６は、ネットワーク回線を介して、互いに情報伝達可能に接続される。また、携帯端末１０８ａ，１０８ｂは、無線通信回線を介して、互いに情報伝達可能である。
【００２１】
クライアントコンピュータ１０２は、一般的なコンピュータの構成を備え、制御部１０、記憶部１２、入力部１４、出力部１６、通信インターフェース部１８及びＩＣカードリーダ１９を含んで構成される。本実施の形態においてクライアントコンピュータ１０２は画像形成指示装置に相当する。
【００２２】
制御部１０は、コンピュータのＣＰＵにあたり、記憶部１２に格納されている画像形成指示プログラムを実行することによってクライアントコンピュータ１０２の各部の制御を行う。記憶部１２は、画像形成指示プログラムやクライアントコンピュータ１０２で処理されるデータを格納及び保持する。記憶部１２には、半導体メモリ、ハードディスク等を適用することができる。入力部１４は、ユーザから指示やパラメータの入力を受け付け、制御部１０へ受け渡す。入力部１４には、キーボードやポインティングデバイスを適用することができる。出力部１６は、ユーザにユーザインターフェース画面等の情報を呈示する。出力部１６には、ディスプレイ装置を適用することができる。通信インターフェース部１８は、ネットワークを介してプリントサーバ１０４及び画像形成装置１０６へ情報を送信するためのインターフェースである。ＩＣカードリーダ１９は、携帯端末１０８に内蔵された微小なＩＣチップから情報を読み出して制御部１０へ転送する。ＩＣチップに記憶された情報を読み出す際には、ＩＣカードリーダ１９の共振回路のアンテナにＩＣチップに内蔵された共振回路のアンテナに近接させる。アンテナが互いに電磁的に結合される程度に近づけられると、非接触電力伝送技術を適用してＩＣカードリーダ１９側から電波によってＩＣチップへ電力を供給しつつ、ＩＣチップから情報が読み出される。なお、非接触電力伝送技術により、ＩＣチップに電池を内蔵することなく半永久的に利用することができる。
【００２３】
プリントサーバ１０４は、一般的なコンピュータの構成を備え、制御部２０、記憶部２２及び通信インターフェース部２８を含んで構成される。本実施の形態においてプリントサーバ１０４は画像形成用サーバに相当する。
【００２４】
制御部２０は、コンピュータのＣＰＵにあたり、記憶部２２に格納されている画像形成用サーバプログラムを実行することによってプリントサーバ１０４の各部の制御を行う。記憶部２２は、画像形成用サーバプログラムやプリントサーバ１０４で処理されるデータを格納及び保持する。記憶部２２には、半導体メモリ、ハードディスク等を適用することができる。通信インターフェース部２８は、ネットワークを介してクライアントコンピュータ１０２及び画像形成装置１０６へ情報を送信するためのインターフェースである。
【００２５】
画像形成装置１０６は、制御部３０、記憶部３２、画像形成部３４、入出力コンソール部３６、通信インターフェース部３８及びＩＣカードリーダ３９を含んで構成される。
【００２６】
制御部３０は、コンピュータのＣＰＵにあたり、記憶部３２に格納されている画像形成装置用プログラムを実行することによって画像形成装置１０６の各部の制御を行う。記憶部３２は、画像形成装置用プログラムや画像形成装置１０６で処理されるデータを格納及び保持する。記憶部３２には、半導体メモリ、ハードディスク等を適用することができる。画像形成部３４は、感光ドラム、帯電部、現像部、転写部、定着部を含む電子写真印刷システムで構成される。画像形成部３４は、制御部３０による制御に従って、記憶部３２に保持されている電子画像データに基づく画像を感光ドラム上に潜像として形成し、その潜像をトナーにより現像し、トナーを紙等の印刷媒体上に転写及び定着させることにより画像を形成する。なお、本実施の形態では、画像形成部３４を電子写真印刷システムとしたが、インクジェットプリンタ等の他のプリンタを含む構成としても構わない。入出力コンソール部３６はタッチパネルとすることができる。入出力コンソール部３６は、画像形成装置１０６での処理に関する情報をユーザに呈示し、また、画像形成装置１０６の処理で必要な情報の入力をユーザから受け付ける。通信インターフェース部３８は、ネットワークを介してクライアントコンピュータ１０２及びプリントサーバ１０４へ情報を送信するためのインターフェースである。ＩＣカードリーダ３９は、ＩＣカードリーダ１９と同様に、携帯端末１０８に内蔵された微小なＩＣチップから情報を読み出して制御部３０へ転送する。
【００２７】
携帯端末１０８は、制御部４０、記憶部４２、アンテナ４４及びＩＣチップ４６を含んで構成される。具体的には、携帯端末１０８は無線通信が可能な携帯電話やＰＨＳ電話機である。
【００２８】
制御部４０は、ＣＰＵであり、携帯端末１０８の各部を統合的に制御する。記憶部４２は、携帯端末１０８の自局の電話番号及び過去の通信履歴等の情報を格納及び保持する。アンテナ４４は、公衆電話網等を介して他の携帯端末１０８と通信を行う際に無線基地局等との間で無線通信を行うために用いられる。ＩＣチップ４６は、アンテナ及び共振回路を含んで構成され、クライアントコンピュータ１０２及び画像形成装置１０６に含まれるＩＣカードリーダ１９，３９と通信を行うことによって記憶部４２に記憶されている情報をクライアントコンピュータ１０２及び画像形成装置１０６へ伝達する。
【００２９】
＜第１の実施形態における画像形成処理＞
以下、図２のフローチャートを参照して、第１の実施の形態における画像形成処理について説明する。本実施の形態における画像形成処理は、第１のユーザＡがクライアントコンピュータ１０２から印刷ジョブを指示すると共に、クライアントコンピュータ１０２から離れた場所にある画像形成装置１０６において第２のユーザＢにその印刷ジョブを実行させる処理である。ステップＳ１０〜Ｓ１６では印刷ジョブをデータベースに登録するまでの処理、ステップＳ１８〜Ｓ２２では印刷ジョブを実行する処理が行われる。
【００３０】
ステップＳ１０では、クライアントコンピュータ１０２においてユーザＡから印刷ジョブが受け付けられる。ユーザＡは、クライアントコンピュータ１０２の入力部１４を用いて、記憶部１２等に格納されている画像データを印刷対象として指定する。制御部１０は、指定された画像データを印刷対象画像データとして特定する。以下では、印刷対象画像データとして「ファイルＡ」が指定されたものとする。
【００３１】
ステップＳ１２では、ユーザＡからユーザＢに対して印刷ジョブの実行依頼が送信される。ユーザＡは、ユーザＡが携帯する携帯端末１０８ａを用いて、印刷ジョブの実行を依頼するユーザＢが携帯する携帯端末１０８ｂへ「印刷ジョブの実行を依頼する旨」の連絡を行う。このとき、通信元となる携帯端末１０８ａに通信先となる携帯端末１０８ｂを特定する端末特定情報が入力されることによって携帯端末１０８ｂを指定される。通信元の携帯端末１０８ａの記憶部４２ａには通信先の携帯端末１０８ｂの端末特定情報が発信履歴として記録される。また、通信先の携帯端末１０８ｂには通信元の携帯端末１０８ａの端末特定情報が送信され、携帯端末１０８ｂの記憶部４２ｂには通信元の携帯端末１０８ａの端末特定情報が着信履歴として記録される。
【００３２】
例えば、通信元の携帯端末１０８ａの端末特定情報である電話番号が“０ｘｘ−１１１１−１１１１”であり、通信先の携帯端末１０８ｂの端末特定情報である電話番号が“０ｘｘ−２２２２−２２２２”である場合、携帯端末１０８ａの記憶部４２ａには発信履歴として“０ｘｘ−２２２２−２２２２”が記憶され、携帯端末１０８ｂの記憶部４２ｂには着信履歴として“０ｘｘ−１１１１−１１１１”が記憶される。
【００３３】
ステップＳ１４では、クライアントコンピュータ１０２において印刷ジョブを実行するユーザを特定する情報が受け付けられる。印刷ジョブを指示したユーザＡは、ステップＳ１２における印刷ジョブの実行依頼の直後、自己が携帯する携帯端末１０８ａをクライアントコンピュータ１０２のＩＣカードリーダ１９に近接させることによって、携帯端末１０８ａの端末特定情報及び記憶部４２ａに記憶されている最新の発信履歴をクライアントコンピュータ１０２に読み取らせる。制御部１０は、ＩＣカードリーダ１９によって読み取られた携帯端末１０８ａの端末特定情報及び最新の発信履歴をユーザ特定情報として取得する。
【００３４】
上記例では、携帯端末１０８ａの電話番号“０ｘｘ−１１１１−１１１１”と最新の発信履歴となる電話番号“０ｘｘ−２２２２−２２２２”がユーザ特定情報として取得される。
【００３５】
ステップＳ１６では、プリントサーバ１０４に印刷ジョブが登録される。クライアントコンピュータ１０２の制御部１０は、ステップＳ１０で指定された印刷対象画像データ及びステップＳ１４で取得されたユーザ特定情報をプリントサーバ１０４へ送信する。プリントサーバ１０４の制御部２０は、クライアントコンピュータ１０２から印刷対象画像データとユーザ特定情報とを受信すると、受信した印刷対象画像データとユーザ特定情報とを関連付けて記憶部２２に印刷ジョブデータベースとして登録する。
【００３６】
上記例では、図３に示すように、印刷対象画像データとなる「ファイルＡ」に関連付けて携帯端末１０８ａの電話番号“０ｘｘ−１１１１−１１１１”と携帯端末１０８ｂの電話番号“０ｘｘ−２２２２−２２２２”が印刷ジョブデータベースに登録される。
【００３７】
ステップＳ１８では、画像形成装置１０６において印刷ジョブを実行するユーザを特定する情報が取得される。印刷ジョブの実行を依頼されたユーザＢは、ステップＳ１２における印刷ジョブの実行依頼後、自己が携帯する携帯端末１０８ｂを画像形成装置１０６のＩＣカードリーダ３９に近接させることによって、携帯端末１０８ｂの端末特定情報及び記憶部４２ｂに記憶されている着信履歴を画像形成装置１０６に読み取らせる。制御部３０は、ＩＣカードリーダ３９によって読み取られた携帯端末１０８ｂの端末特定情報及び着信履歴をユーザ確認情報として取得する。なお、記憶部４２ｂに着信履歴が複数登録されている場合には総ての着信履歴をユーザ確認情報として取得する。
【００３８】
上記例では、携帯端末１０８ｂの電話番号“０ｘｘ−２２２２−２２２２”と着信履歴となる電話番号“０ｘｘ−１１１１−１１１１”がユーザ確認情報として取得される。
【００３９】
ステップＳ２０では、プリントサーバ１０４において印刷が許可される印刷ジョブが抽出される。画像形成装置１０６の制御部３０は、ステップＳ１８で取得されたユーザ確認情報をプリントサーバ１０４へ送信する。プリントサーバ１０４の制御部２０は、ユーザ確認情報を受信すると、記憶部２２に登録されている印刷ジョブデータベースを参照して、ユーザ確認情報と一致するユーザ特定情報に関連付けられている印刷対象画像データを抽出する。なお、ユーザ確認情報と一致するユーザ特定情報に関連付けられている印刷対象画像データが複数登録されている場合にはユーザ確認情報と一致するユーザ特定情報に関連付けられている印刷対象画像データを総て抽出する。また、ステップＳ１８において複数の着信履歴がユーザ確認情報として取得された場合、携帯端末１０８ｂの端末特定情報と各着信履歴との組み合わせと一致するユーザ特定情報と関連付けられた総ての印刷対象画像データを抽出する。
【００４０】
図３の印刷ジョブデータベースが登録されている場合、上記例ではユーザ確認情報は電話番号“０ｘｘ−１１１１−１１１１”及び“０ｘｘ−２２２２−２２２２”の組み合わせであるので、印刷ジョブデータベースから電話番号“０ｘｘ−１１１１−１１１１”及び“０ｘｘ−２２２２−２２２２”の組み合わせからなるユーザ特定情報に関連付けられている「ファイルＡ」が抽出される。
【００４１】
ステップＳ２２では、画像形成装置１０６において印刷ジョブが実行される。プリントサーバ１０４の制御部２０は、ステップＳ２０で抽出された印刷ジョブを画像形成装置１０６へ送信する。画像形成装置１０６の制御部３０は、印刷ジョブを受信すると、画像形成部３４により印刷ジョブに含まれる印刷対象画像データに基づく画像を印刷媒体上に画像形成させる。ステップＳ２０において印刷ジョブが複数抽出された場合、制御部３０は入出力コンソール部３６の画面上に抽出された複数の印刷ジョブを示す情報を呈示し、ユーザに印刷を実行する印刷ジョブを選択させることも好適である。
【００４２】
上記例では、プリントサーバ１０４から画像形成装置１０６へ抽出された「ファイルＡ」が送信され、画像形成装置１０６の画像形成部３４において「ファイルＡ」に基づく画像が印刷媒体上に印刷される。
【００４３】
以上のように、本実施の形態によれば、印刷ジョブを指示したユーザは、自身以外の特定のユーザに対して印刷ジョブの実行の許可を与えることができる。ここで、携帯電話等の携帯端末の送信履歴及び着信履歴の情報を利用することによって、機密性を保ちつつ印刷ジョブの実行を他のユーザに容易に依頼することができる。
【００４４】
＜第２の実施の形態における画像形成処理＞
以下、図４のフローチャートを参照して、第２の実施の形態における画像形成処理について説明する。本実施の形態では、第１の実施の形態とは逆に、第２のユーザＢが第１のユーザＡに対してクライアントコンピュータ１０２による印刷ジョブの指定を依頼し、ユーザＢがクライアントコンピュータ１０２から離れた場所にある画像形成装置１０６においてその印刷ジョブを実行する処理について説明する。
【００４５】
ステップＳ３０では、ユーザＢからユーザＡに対して印刷ジョブの指定依頼が送信される。ユーザＢは、ユーザＢが携帯する携帯端末１０８ｂを用いて、印刷ジョブの指定を依頼するユーザＡが携帯する携帯端末１０８ａへ「所望の印刷ジョブを指定して欲しい旨」の連絡を行う。このとき、通信元となる携帯端末１０８ｂに通信先となる携帯端末１０８ａを特定する端末特定情報が入力されることによって携帯端末１０８ａが指定される。通信元の携帯端末１０８ｂの記憶部４２ｂには通信先の携帯端末１０８ａの端末特定情報が発信履歴として記録される。また、通信先の携帯端末１０８ａには通信元の携帯端末１０８ｂの端末特定情報が送信され、携帯端末１０８ａの記憶部４２ａには通信元の携帯端末１０８ｂの端末特定情報が着信履歴として記録される。
【００４６】
例えば、通信元の携帯端末１０８ｂの端末特定情報である電話番号が“０ｘｘ−２２２２−２２２２”であり、通信先の携帯端末１０８ａの端末特定情報である電話番号が“０ｘｘ−１１１１−１１１１”である場合、携帯端末１０８ａの記憶部４２ａには着信履歴として“０ｘｘ−２２２２−２２２２”が記憶され、携帯端末１０８ｂの記憶部４２ｂには発信履歴として“０ｘｘ−１１１１−１１１１”が記憶される。
【００４７】
ステップＳ３２では、クライアントコンピュータ１０２においてユーザＡから印刷ジョブが受け付けられる。印刷ジョブの指定の依頼を受けたユーザＡは、クライアントコンピュータ１０２の入力部１４を用いて、ユーザＢが所望すると連絡してきた画像データを印刷対象として指定する。制御部１０は、指定された画像データを印刷対象画像データとして特定する。以下では、印刷対象画像データとして「ファイルＡ」が指定されたものとする。
【００４８】
ステップＳ３４では、クライアントコンピュータ１０２においてユーザ特定情報が受け付けられる。印刷ジョブを指示したユーザＡは、自己が携帯する携帯端末１０８ａをクライアントコンピュータ１０２のＩＣカードリーダ１９に近接させることによって、携帯端末１０８ａの端末特定情報及び記憶部４２ａに記憶されている最新の着信履歴をクライアントコンピュータ１０２に読み取らせる。制御部１０は、ＩＣカードリーダ１９によって読み取られた携帯端末１０８ａの端末特定情報及び最新の着信履歴をユーザ特定情報として取得する。
【００４９】
上記例では、携帯端末１０８ａの電話番号“０ｘｘ−１１１１−１１１１”と最新の着信履歴となる電話番号“０ｘｘ−２２２２−２２２２”がユーザ特定情報として取得される。
【００５０】
ステップＳ３６では、プリントサーバ１０４に印刷ジョブが登録される。クライアントコンピュータ１０２の制御部１０は、ステップＳ３２で指定された印刷対象画像データ及びステップＳ３４で取得されたユーザ特定情報をプリントサーバ１０４へ送信する。プリントサーバ１０４の制御部２０は、クライアントコンピュータ１０２から印刷対象画像データとユーザ特定情報とを受信すると、受信した印刷対象画像データとユーザ特定情報とを関連付けて記憶部２２に印刷ジョブデータベースとして登録する。
【００５１】
上記例では、第１の実施の形態と同様に、図３に示すように、印刷対象画像データとなる「ファイルＡ」に関連付けて携帯端末１０８ａの電話番号“０ｘｘ−１１１１−１１１１”と携帯端末１０８ｂの電話番号“０ｘｘ−２２２２−２２２２”が印刷ジョブデータベースに登録される。
【００５２】
ステップＳ３８では、画像形成装置１０６において印刷ジョブを実行するユーザ確認情報が取得される。印刷ジョブの指定を依頼したユーザＢは、印刷ジョブの指定依頼後、自己が携帯する携帯端末１０８ｂを画像形成装置１０６のＩＣカードリーダ３９に近接させることによって、携帯端末１０８ｂの端末特定情報及び記憶部４２ｂに記憶されている発信履歴を画像形成装置１０６に読み取らせる。制御部３０は、ＩＣカードリーダ３９によって読み取られた携帯端末１０８ｂの端末特定情報及び発信履歴をユーザ確認情報として取得する。なお、記憶部４２ｂに発信履歴が複数登録されている場合には総ての発信履歴をユーザ確認情報として取得する。
【００５３】
上記例では、携帯端末１０８ｂの電話番号“０ｘｘ−２２２２−２２２２”と最新の発信履歴となる電話番号“０ｘｘ−１１１１−１１１１”がユーザ確認情報として取得される。
【００５４】
ステップＳ４０では、プリントサーバ１０４において印刷される印刷ジョブが抽出される。画像形成装置１０６の制御部３０は、ステップＳ３８で取得されたユーザ確認情報をプリントサーバ１０４へ送信する。プリントサーバ１０４の制御部２０は、ユーザ確認情報を受信すると、記憶部２２に登録されている印刷ジョブデータベースを参照して、ユーザ確認情報と一致するユーザ特定情報に関連付けられている印刷対象画像データを抽出する。なお、ユーザ確認情報と一致するユーザ特定情報に関連付けられている印刷対象画像データが複数登録されている場合にはユーザ確認情報と一致するユーザ特定情報に関連付けられている印刷対象画像データを総て抽出する。また、ステップＳ３８において複数の発信履歴がユーザ確認情報として取得された場合、携帯端末１０８ｂの端末特定情報と各発信履歴との組み合わせと一致するユーザ特定情報と関連付けられた総ての印刷対象画像データを抽出する。
【００５５】
図３の印刷ジョブデータベースが登録されている場合、上記例ではユーザ確認情報は電話番号“０ｘｘ−１１１１−１１１１”及び“０ｘｘ−２２２２−２２２２”の組み合わせであるので、印刷ジョブデータベースから電話番号“０ｘｘ−１１１１−１１１１”及び“０ｘｘ−２２２２−２２２２”の組み合わせからなるユーザ特定情報に関連付けられている「ファイルＡ」が抽出される。
【００５６】
ステップＳ４２では、画像形成装置１０６において印刷ジョブが実行される。プリントサーバ１０４の制御部２０は、ステップＳ４０で抽出された印刷ジョブを画像形成装置１０６へ送信する。画像形成装置１０６の制御部３０は、印刷ジョブを受信すると、画像形成部３４のより印刷ジョブに含まれる印刷対象画像データに基づく画像を印刷媒体上に画像形成させる。ステップＳ２０において印刷ジョブが複数抽出された場合、制御部３０は入出力コンソール部３６の画面上に抽出された複数の印刷ジョブを示す情報を呈示し、ユーザに印刷を実行する印刷ジョブを選択させることも好適である。
【００５７】
上記例では、プリントサーバ１０４から画像形成装置１０６へ抽出された「ファイルＡ」が送信され、画像形成装置１０６の画像形成部３４において「ファイルＡ」に基づく画像が印刷媒体上に印刷される。
【００５８】
以上のように、本実施の形態によれば、印刷物を取得したいユーザ側から他のユーザに印刷ジョブの指示を依頼し、依頼したユーザのみが印刷ジョブを実行することができるようにすることができる。ここで、携帯電話等の携帯端末の送信履歴及び着信履歴の情報を利用することによって、機密性を保った印刷ジョブの実行を容易に実現することができる。
【００５９】
＜変形例＞
上記第１及び第２の実施の形態では、携帯端末１０８ａ，１０８ｂを互いに特定する端末特定情報（電話番号）の発信履歴及び着信履歴を利用して機密性を保った印刷を実現した。しかしながら、通信時に用いられる端末特定情報（電話番号）のみを用いた場合、発信履歴や着信履歴の記録をすりかえることも可能であり、機密性を保持できない場合がある。そこで、本変形例では、携帯端末１０８ａ，１０８ｂの機器に固有に与えられた機器特定情報（機器ＩＤ）を利用して、さらに機密性の高い印刷処理を実現する方法について説明する。
【００６０】
以下、第１の実施の形態の変形例について説明を行うが、第２の実施の形態についても同様に処理を行うことができる。
【００６１】
ここでは、携帯端末１０８ａに備わるＩＣチップ４６ａに固有に割り当てられた機器特定情報が“ＦＦＦＦ１２３４”であり、携帯端末１０８ｂに備わるＩＣチップ４６ｂに固有に割り当てられた機器特定情報が“ＦＦＦＦ５６７８”である場合について説明する。この場合、第１の実施の形態におけるステップＳ１４では、携帯端末１０８ａの電話番号の代わりに機器特定情報“ＦＦＦＦ１２３４”と発信履歴である携帯端末１０８ｂの電話番号“０ｘｘ−２２２２−２２２２”が取得される。そして、ステップＳ１６では、図５に示すように、印刷対象画像データとなる「ファイルＡ」に関連付けて携帯端末１０８ａの機器特定情報“ＦＦＦＦ１２３４”と携帯端末１０８ｂの電話番号“０ｘｘ−２２２２−２２２２”が印刷ジョブデータベースに登録される。
【００６２】
印刷ジョブを実行する際には、ステップＳ１８において、印刷ジョブを実行するユーザＢが携帯する携帯端末１０８ｂの電話番号の代わりに機器特定情報“ＦＦＦＦ５６７８”と着信履歴である携帯端末１０８ａの電話番号“０ｘｘ−１１１１−１１１１”がユーザ確認情報として取得される。ステップＳ２０では、図６に示す機器特定データベースを参照して、ユーザ確認情報に基づいて印刷ジョブが抽出される。機器特定データベースは、プリントサーバ１０４の記憶部２２に予め記憶されており、携帯端末に固有に与えられた機器特定情報とその携帯端末の電話番号とが関連付けられて登録されている。プリントサーバ１０４の制御部２０は、ユーザ確認情報に含まれる携帯端末１０８ｂの機器特定情報“ＦＦＦＦ５６７８”から携帯端末１０８ｂの電話番号“０ｘｘ−２２２２−２２２２”を抽出する。さらに、機器特定データベースを参照しつつ、印刷ジョブデータベースに登録されている印刷ジョブのなかにユーザ確認情報から得られた電話番号“０ｘｘ−１１１１−１１１１”及び機器特定情報“ＦＦＦＦ５６７８”に対応する“０ｘｘ−２２２２−２２２２”に関連付けられた印刷ジョブが存在するか否かを調査する。このとき、機器特定データベースを参照してユーザ特定情報に含まれる機器特定情報を対応する電話番号に順次変換しつつ調査を行う。これによって、携帯端末１０８ａの機器特定情報“ＦＦＦＦ１２３４”が携帯端末１０８ａの電話番号“０ｘｘ−１１１１−１１１１”に変換され、ユーザ確認情報と一致するユーザ特定情報に関連付けられた印刷対象画像データ「ファイルＡ」が抽出される。
【００６３】
抽出された印刷対象画像データ「ファイルＡ」は画像形成装置１０６へ送信される。画像形成装置１０６の制御部３０は、印刷ジョブを受信すると、画像形成部３４のより印刷ジョブに含まれる印刷対象画像データに基づく画像を印刷媒体上に画像形成させる。
【００６４】
以上のように、電話番号の代わりに携帯端末に固有に割り振られた機器特定情報を用いて印刷ジョブを指定するユーザ及び印刷ジョブを実行するユーザを特定することによって、画像形成処理においてより高い機密性を保つことができる。
【００６５】
なお、上記実施の形態及び変形例では、許可された特定のユーザのみに印刷ジョブを実行できるようにする形態について説明したが、これに限定されるものではない。例えば、印刷ジョブを指定することによって印刷物を施錠可能なトレイに出力させ、携帯端末を用いて特定のユーザのみに施錠可能なトレイから印刷物を取り出すことを許可する等の態様としてもよい。
【００６６】
また、上記実施の形態及び変形例では、プリントサーバにおいてユーザ特定情報と印刷対象画像データを関連付けて印刷ジョブデータベースとして保持させる制御処理を行っているが、クライアントにおいてその制御処理を実現することも可能である。
【図面の簡単な説明】
【００６７】
【図１】本発明の実施の形態における画像形成システムの構成のブロック図である。
【図２】第１の実施の形態における画像形成処理のフローチャートを示す図である。
【図３】印刷ジョブデータベースの例を示す図である。
【図４】第２の実施の形態における画像形成処理のフローチャートを示す図である。
【図５】印刷ジョブデータベースの例を示す図である。
【図６】機器特定データベースの例を示す図である。
【符号の説明】
【００６８】
１０  制御部、１２  記憶部、１４  入力部、１６  出力部、１８  通信インターフェース部、１９  ＩＣカードリーダ、２０  制御部、２２  記憶部、２８  通信インターフェース部、３０  制御部、３２  記憶部、３４  画像形成部、３６  入出力コンソール部、３８  通信インターフェース部、３９  ＩＣカードリーダ、４０  制御部、４２  記憶部、４４  アンテナ、４６  ＩＣチップ、１００  画像形成システム、１０２  クライアントコンピュータ、１０４  プリントサーバ、１０６  画像形成装置、１０８  携帯端末。
【図１】
0004635910.tif 000002
【図２】
0004635910.tif 000003
【図３】
0004635910.tif 000004
【図４】
0004635910.tif 000005
【図５】
0004635910.tif 000006
【図６】
0004635910.tif 000007